(57)【特許請求の範囲】
【請求項１】
一対の接眼光学系と対物光学系との間に設けられる調節レンズを可動にする一対の調節手段と、
前記一対の調節手段の中間に位置する中心軸線を中心にして回転可能な中央転輪と、
外周面に雄ネジを備えてなると共に前記中央転輪に係合又は脱離することにより、前記中央転輪の回転に応じて回転し又は不動となる回転筒体と、
前記回転筒体の雄ネジに係合する雌ネジを内周面に有すると共に外周面に雄ネジを備え、一方の調節手段を結合し、かつ前記中心軸線に沿って前記一方の調節手段と共に移動可能である内側筒体と、
前記内側筒体の雄ネジに螺合する雌ネジを内周面に有すると共に他方の調節手段を結合し、かつ前記中心軸線に沿って前記他方の調節手段と共に移動可能である外側筒体と、
前記外側筒体に係合する係合片を備え、前記中央転輪と係合脱離可能であり、前記中央転輪に係合しかつ前記中央転輪が前記回転筒体から脱離するときには、前記中心軸線を中心にして回動可能でありかつ前記係合片を回動可能にし、前記中央転輪から脱離しかつ前記中央転輪が前記回転筒体に係合するときには、前記外側筒体を前記中心軸線に沿って移動可能にする視度調節環と、
前記一対の調節手段の移動距離及び移動方向を焦点及び視度調節に必要な前記調節レンズの移動距離及び移動方向に変換する変換装置とを備えることを特徴とする双眼鏡。
【発明の詳細な説明】
【技術分野】
【０００１】
この発明は、双眼鏡に関し、特に詳しく言うと、焦点及び視度調節に必要な操作量が少なく、かつ左右の鏡筒を結合するヒンジが薄く、かつ双眼鏡の光軸の安定性を維持できる強度を有し、かつ軽量で、かつ持ち易い双眼鏡に関する。
【背景技術】
【０００２】
特許文献１に記載の発明は、「持ち易く軽くて回転ノブの使い勝手の良い双眼鏡」に関し（特許文献１の段落番号０００４参照）、その請求項１には、「双眼鏡における眼間を調整する為の、中心軸、関節装置が２つの管部材の中間位置にあると同時に、軸方向上部に偏って１箇所のみ設置されている事を特徴とする双眼鏡」が提案されている。
【０００３】
また、特許文献２に記載された双眼鏡は、その請求項１に記載されているように、「一対の接眼光学系と対物光学系との間に設けられる調節レンズを光軸に沿って前後進可能に支持する一対の調節手段と、前記一対の調節手段を光軸方向に同時に前後進させて焦点調節を行う焦点調節手段と、一方の調節手段を、他方の調節手段を不動状態にしたまま、光軸方向に前後進させて視度調節を行う視度調節手段と、前記焦点調節手段と視度調節手段とを切り替える切替手段とを有する焦点視度調節ユニットを備えてなることを特徴とする双眼鏡」である。
【０００４】
しかしながら、特許文献２に開示された双眼鏡は、請求項２に記載されたように、「前記焦点調節手段が、固定中心軸体に回転可能に装着され、外周に雄ネジを有する太径部と外周に雄ネジを有する細径部とを有し、調節レンズを支持する一方の調節手段を回動不能に前記太径部で支持するリード環と、前記リード環と螺合により結合され、回転により前記リード環を前後進させる第１回転体とを備え、前記視度調節手段が、前記リード環に回転可能に支持され、他方の調節レンズを支持する他方の調節手段を支持する小リード環を備え、前記切替手段が、固定中心軸体の軸線に沿って一方向に移動すると、前記小リード環に回転運動伝達不能状態下に前記第１回転体に回転運動を伝達可能にし、前記軸線方向に沿って逆方向に移動すると前記第１回転体の回転運動伝達不能状態下に前記小リード環に回転運動を伝達可能とする第２回転体を備えて成る前記請求項１に記載の双眼鏡」といった態様しか示されていない。
【０００５】
焦点及び視度調節をすることのできる双眼鏡では、左右の鏡筒を結合するヒンジ内に種々の部材を収納することにより、ヒンジが厚くなり易く、操作者が双眼鏡を持ち難いことがあった。ヒンジの厚みを小さくすると、双眼鏡の光軸が安定しなくなると共に双眼鏡自体の強度が大きく低下することがあった。更に、ヒンジの厚みが大きい状態では双眼鏡全体が大きくなり易く、焦点及び視度調節に必要な操作量も多くなることがあった。
【０００６】
これに鑑みて、焦点及び視度調節に必要な操作量が少なく、かつ左右の鏡筒を結合するヒンジが薄く、かつ双眼鏡の光軸の安定性を維持できる強度を有し、かつ軽量で、かつ持ち易い双眼鏡が求められていた。
【０００７】
【特許文献１】特開２００７−１２７６９０号公報
【特許文献２】特開２００６−５３３８１号公報
【発明の開示】
【発明が解決しようとする課題】
【０００８】
この発明が解決しようとする課題は、焦点及び視度調節に必要な操作量が少なく、かつ左右の鏡筒を結合するヒンジが薄く、かつ双眼鏡の光軸の安定性を維持できる強度を有し、かつ軽量で、かつ持ち易い双眼鏡を提供することである。
【課題を解決するための手段】
【０００９】
前記課題を解決するための手段として、
請求項１は、「一対の接眼光学系と対物光学系との間に設けられる調節レンズを可動にする一対の調節手段と、
前記一対の調節手段の中間に位置する中心軸線を中心にして回転可能な中央転輪と、
外周面に雄ネジを備えてなると共に前記中央転輪に係合又は脱離することにより、前記中央転輪の回転に応じて回転し又は不動となる回転筒体と、
前記回転筒体の雄ネジに係合する雌ネジを内周面に有すると共に外周面に雄ネジを備え、一方の調節手段を結合し、かつ前記中心軸線に沿って前記一方の調節手段と共に移動可能である内側筒体と、
前記内側筒体の雄ネジに螺合する雌ネジを内周面に有すると共に他方の調節手段を結合し、かつ前記中心軸線に沿って前記他方の調節手段と共に移動可能である外側筒体と、
前記外側筒体に係合する係合片を備え、前記中央転輪と係合脱離可能であり、前記中央転輪に係合しかつ前記中央転輪が前記回転筒体から脱離するときには、前記中心軸線を中心にして回動可能でありかつ前記係合片を回動可能にし、前記中央転輪から脱離しかつ前記中央転輪が前記回転筒体に係合するときには、前記外側筒体を前記中心軸線に沿って移動可能にする視度調節環と、
前記一対の調節手段の移動距離及び移動方向を焦点及び視度調節に必要な前記調節レンズの移動距離及び移動方向に変換する変換装置とを備えることを特徴とする双眼鏡」である。
【発明の効果】
【００１０】
この発明によると、中央転輪の操作により内側筒体及び外側筒体と調節レンズを可動にする一対の調節手段とが共に移動することとなり、変換装置が前記一対の調節手段の移動距離及び移動方向を焦点及び視度調節に必要な調節レンズの移動距離及び移動方向に変換することにより、焦点及び視度調節に必要な操作量が少なく、かつ左右の鏡筒を結合するヒンジが薄く、かつ双眼鏡の光軸の安定性を維持できる強度を有し、かつ軽量で、かつ持ち易い双眼鏡を提供することができる。
【発明を実施するための最良の形態】
【００１１】
この発明の双眼鏡の一例を図１に示す。なお、図１に示す双眼鏡１は、ズーム機能を備えている。図１に示されるように、この発明の一例である双眼鏡１は、接眼光学系２及び対物光学系３を夫々内蔵する一方の鏡筒４ａ及び他方の鏡筒４ｂと、前記一方の鏡筒４ａ及び前記他方の鏡筒４ｂを回動可能に結合すると共に、接眼光学系３の一方の光軸及び接眼光学系３の他方の光軸を観察者の両眼間隔に一致させることができるようにする回動結合部５とを備える。一方の鏡筒４ａ及び他方の鏡筒４ｂは、両端を開口する略円筒体であり、周側面の一部が回動結合部５で互いに結合している。また、一方の鏡筒４ａにおける接眼光学系２近傍には、光軸を中心として回転又は回動可能な環状部材であるズーム操作環４ｃが設けられている。更に、一方の鏡筒４ａ及び他方の鏡筒４ｂの内部には像をズーム可能な変倍装置（図示せず）が設けられると共に、中央転輪６の上部には変倍装置が一方の鏡筒４ａ及び他方の鏡筒４ｂ内で同時に作動するように連動部材（図示せず）が設けられている。ズーム操作環４ｃが回転又は回動すると、中央転輪６の上部に設けられる連動部材（図示せず）により、変倍装置（図示せず）が駆動し、双眼鏡１のズーム機能が作用することとなる。変倍装置としては、公知の変倍可能な機構を適用することができ、連動部材としては、変倍装置の動作を連動可能である部材例えばスチールベルト等を用いることができる。
【００１２】
双眼鏡１は、一方の鏡筒４ａの軸線と他方の鏡筒４ｂの軸線との中間であってかつ夫々の軸線に平行な仮想的中間軸線上に配置された中央転輪６を備える。中央転輪６からは、一方の鏡筒４ａ及び他方の鏡筒４ｂに向って一方のワイヤ７ａ及び他方のワイヤ７ｂが延在している。また、一方のワイヤ７ａ及び他方のワイヤ７ｂは、一方の鏡筒４ａ及び他方の鏡筒４ｂ内に夫々装着される変換装置８に接続されている。なお、図１において一方の鏡筒４ａの左下に示される破断部は、一方の鏡筒４ａを横方向から切断した場合の断面図である。変換装置８は、光学系駆動手段９に接続されている。光学系駆動手段９は、変換装置８が作動することにより、一方の鏡筒４ａ及び他方の鏡筒４ｂの軸線に沿って視度レンズ１０を前後進させることができる。
【００１３】
中央転輪６は有底円筒体であり、図示しないが、中央転輪６の周側面が回動結合部５の表面に露出するようにして設置されている。したがって、一方の鏡筒４ａ及び他方の鏡筒４ｂを手で持った状態で、操作者は例えば指で中央転輪６を操作することができる。
【００１４】
前記回動結合部５は、一方の鏡筒４ａの略中央部から張り出した装着部と他方の鏡筒４ｂの略中央部から張り出した装着部とを回動可能に装着する基体（図示せず。）を有している。
【００１５】
図２には、図１における双眼鏡１の中央転輪６、一方のワイヤ７ａ、他方のワイヤ７ｂ、変換装置８及び視度レンズ１０等を示した。なお、以下において、「一方のワイヤ７ａ及び他方のワイヤ７ｂ」を、纏めて「ワイヤ７」と称することがある。
【００１６】
図２に示されるように、中央転輪６の内側には視度調節環１１が設けられている。中央転輪６及び視度調節環１１は、有底円筒体であり、互いの開口端部を合わせるようにして装着されている。また、一方のワイヤ７ａ及び他方のワイヤ７ｂの一端部が中央転輪６及び視度調節環１１の内部に固定されており、他端部が中央転輪６及び視度調節環１１近傍に設置された変換装置８におけるワイヤ固定部１２に固定されている。なお、ワイヤ７が中央転輪６及び視度調節環１１の内部からワイヤ固定部１２まで延設されるまでに、ワイヤ７の方向を変更するガイド部材１３をワイヤ７の略中央部に当接させ、かつワイヤ７が中央転輪６、視度調節環１１及びガイド部材１３に当接する箇所に緩衝材としてワイヤチューブ１４を被覆させている。
【００１７】
変換装置８は、ワイヤ固定部１２、回動盤１５、回動中心部１６、回動端部１７、弧状案内溝部１８、昇降ピンホルダ１９及びホルダ案内部材２０を有している。ワイヤ固定部１２は、上述したようにワイヤ７の他端部を固定する部材であり、ワイヤ７の他端部を巻き付けて固定するようなピン部材であるが、接着又は溶着してワイヤ７を固定しても良い。回動盤１５は、一角が湾曲した略三角形状を成す平板であり、回動中心部１６の一点で固定されているので、回動中心部１６を中心にして回動することができる。回動端部１７は、回転盤１５が回動中心部１６を中心として回動する場合に、回転盤１５における変位が最大となる端部である。回動端部１７には、ホルダ案内部材２０が装着されている。ホルダ案内部材２０は、矩形枠体であり、一端部が回動端部１７に取り付けられ、かつ他端部が弧状案内溝部１８に摺動することができる。ホルダ案内部材２０は、回動端部１７を中心として回動することができる。また、昇降ピンホルダ１９は、後述の昇降ピン２１の一端部を収容し、かつホルダ案内部材２０の長軸方向に摺動することのできる部材である。昇降ピンホルダ１９は、回動盤１５及び回動端部１７が回動することにより、回動端部１７に取り付けられた昇降ピン２１をその軸線に沿って前後進させることができる。
【００１８】
光学系駆動手段９は、昇降ピン２１、ピン案内部材２２、貫通孔２３、挿通管２４、太径部２５、環状部材２６、封蓋部材２７、コイルばね２８を有している。昇降ピン２１は、一端部が昇降ピンホルダ１９に収容され、かつ他端部が視度レンズ枠２９のピン固定部３０に固定される棒体である。視度レンズ枠２９は、その内部に視度レンズ１０が固定されて成りかつ両端を開口する円筒体であり、図１における接眼光学系２及び対物光学系３の光軸に一致するように視度レンズを保持している。なお、回動盤１５及び回動端部１７が回動して昇降ピン２１をその軸線に沿って前後進させた場合に、昇降ピン２１と視度レンズ枠２９とが接続されていることにより、視度レンズ１０及び視度レンズ枠２９がその軸線に沿って前後進することとなる。また、昇降ピン２１は、ピン案内部材２２に設けられた貫通孔２３を挿通している。ピン案内部材２２は、図２には図示されないが、図１における一方の鏡筒４ａ及び他方の鏡筒４ｂの内部に固定的に配置される部材である。貫通孔２３は、昇降ピン２１を挿通することにより、昇降ピン２１がその軸線から外れて移動しないように、昇降ピン２１の移動可能範囲を規制することができる。貫通孔２３の内部には、挿通管２４が設けられている。挿通管２４は、昇降ピン２１が挿通することのできる両端開口の管状部材であり、昇降ピン２１ががたつきなくその軸線に沿って前後進することができるように支持する部材である。挿通管２４の内径は、昇降ピン２１がその軸線に沿って前後進した場合に、昇降ピン２１が挿通管２４に摺動する程度であれば良い。また、挿通管２４の外径は、ピン案内部材２２の貫通孔２３に嵌合する程度であれば良い。挿通管２４の回動盤１５側には、貫通孔２３の内径よりも大きい内径を有する太径部２５が設けられている。太径部２５は、昇降ピン２１が貫通する環状部材２６がその内側に配置されている。太径部２５は、封蓋部材２７により、太径部２５の開口端部及び外周面を覆うようにして封蓋されている。太径部２５により、昇降ピン２１が挿通管２４に摺動しつつ昇降ピン２１の軸線に沿って前後進した場合でも、挿通管２４が貫通孔２３から抜け落ちることがない。コイルばね２８は、昇降ピン２１が挿通しており、一端部が挿通管２４の視度レンズ１０側に係止され、かつ他端部がピン固定部３０に係止されている。したがって、昇降ピン２１はその軸線に直交する方向には移動しないので、昇降ピンホルダ１９及びホルダ案内部材２０がその方向、例えば図２においては水平方向を維持することにより、結果として、昇降ピン２１がホルダ案内部材２０を回動させることとなる。
【００１９】
中央転輪６の上部に示される固定用部材３１は、図１における一方の鏡筒４ａ、他方の鏡筒４ｂ及び回動結合部５等に結合し、中央転輪６の位置を固定する部材である。なお、図２における「Ｘ」は、焦点調節の際に視度レンズ１０の移動する距離を示している。
【００２０】
図３には、図２における中央転輪６、視度調節環１１及びワイヤ７等を拡大して示した。
【００２１】
中央転輪６は、転輪軸３２、転輪締付環３３、連動環３４、転輪蓋３５、転輪カバー３６、操作部３７及び係合環３８を有している。
【００２２】
転輪軸３２は、中央転輪６の軸となる棒体である。転輪軸３２の一端部には、軸固定用孔３９が中心軸線に沿って設けられ、軸固定用孔３９近傍の周側面には外側に張り出した縁辺部４０が設けられている。軸固定用孔３９に固定用部材３１の一部が螺合されることにより、中央転輪６が回転しても中央転輪６の軸線が揺動しない。また、縁辺部４０の更に周側面には、転輪固定枠４１が付設されている。転輪固定枠４１は、縁辺部４０から転輪軸３２の一端部方向に延在立設される筒体であり、縁辺部４０との結合部近傍にワイヤ７が挿通される貫通孔を有している。
【００２３】
転輪締付環３３は、転輪軸３２の他端部でかつ周側面に嵌合する環状部材であり、転輪軸３２と共に回転することができる。転輪締付環３３の周側面には、転輪締付環３３の半径方向に凹陥部が設けられ、該凹陥部内にクリックばね４２及びクリックボール４３が装入されている。クリックボ−ル４３は、クリックばね４２により凹陥部から押出される方向に付勢されている。
【００２４】
連動環３４は、両端を開口する筒体であり、一端部が小径に形成されていると共に該小径部から頸部４４が突設されている。なお、クリックボール４３は、頸部４４の内周面に押し付けられるようにして付勢されているので、クリックボール４３が転輪締付環３３の凹陥部から抜け落ちることはない。
【００２５】
転輪蓋３５は、その周囲が厚みの大きい縁辺を有する板体であり、縁辺の外周面には肩部４５が設けられている。
【００２６】
転輪カバー３６は、中央転輪６の最外部に配置される部材であり、両端を開口する筒体である。転輪カバー３６の周側面には、中央転輪６を操作する際に、操作者が指等を当接させて中央転輪の回転方向に力を付加することにより中央転輪６を回転させることのできる部位である操作部３７が設けられている。転輪カバー３６は、その内周面に連動環３４が嵌合している。
【００２７】
操作部３７は、転輪カバー３６の周側面において、中央転輪６の軸線に沿って平行に突起する凸状部として配設されている。転輪カバー３６の一端部には内側に張り出したフランジ４６が設けられている。
【００２８】
係合環３８は、筒体であり、転輪カバー３６の他端内周面に嵌合可能なようにその外径が転輪カバー３６の内径と略同一である。
【００２９】
よって、中央転輪６は、転輪軸３２の他端周側面に転輪締付環３３が取り付けられ、かつ転輪カバー３６の他端内周面に係合環３８が嵌合し、かつ転輪カバー３６の内周面に連動環３４が嵌合し、かつ連動環３４の頸部４４の内周面と転輪カバー３６のフランジ４６との間で転輪蓋３５を挟持し、かつ転輪蓋３５が転輪カバー３６の一端部及び連動環３４の一端部を閉鎖するように配置して組み付けることで得られる。
【００３０】
中央転輪６における転輪軸３２には、転輪軸３２を囲繞するように回転筒体４７が装着されている。詳述すると、回転筒体４７は、転輪軸３２を囲繞しかつ摺動可能な筒状部４８と、筒状部４８の一端部から外側に張り出すように設けられた底面部４９とを有している。連動環３４における頸部４４近傍の内壁面に設けられた連結部５０と、底面部４９の縁辺近傍の外面に設けられた被連結部５１とが連結することにより、中央転輪６の回転が回転筒体４７に伝達可能となっている。連結部５０及び被連結部５１の実施態様としては、例えばキーとキー溝との組み合わせ等を採用することができる。また、筒状部４８の外周面には雄ネジ５２が設けられている。
【００３１】
回転筒体４７の外周面には、回転筒体４７の雄ネジ５２に螺合する雌ネジ５３を内周面に有する内側筒体５４が設けられている。内側筒体５４は、略円筒体であり、外周面の一部に突出部５５を有している。突出部５５には孔が設けられ、かつワイヤ固定用ビス５６が孔を挿通していると共に、ワイヤ固定用ビス５６には一方のワイヤ７ａが締結されている。内側筒体５４は、中央転輪６の軸線に沿って移動可能である。ワイヤ固定用ビス５６が突出部５５に固定的に装着されていることにより、一方のワイヤ７ａは、内側筒体５４に連動して移動可能となる。また、内側筒体５４の外周面には雄ネジ５７が設けられている。
【００３２】
内側筒体５４の外周面には、内側筒体５４の雄ネジ５７に螺合する雌ネジ５８を内周面に有する外側筒体５９が設けられている。外側筒体５９は、略円筒体であり、外周面にワイヤ固定部材６０が取り付けられている。なお、ワイヤ固定部材６０は、外側筒体５９の外周面に摺接しているに過ぎないので、外側筒体５９が回動してもワイヤ固定部材６０が回動することはない。但し、外側筒体５９が中央転輪６の軸線に沿って移動すると、ワイヤ固定部材６０が外側筒体５９と同様に移動するようになっている。他方のワイヤ７ｂがワイヤ固定部材６０に固定的に取り付けられていることにより、他方のワイヤ７ｂは、外側筒体５９及びワイヤ固定部材６０に連動して中央転輪６の軸線に沿って移動可能となる。
【００３３】
よって、内側筒体５４及び外側筒体５９が中央転輪６の軸線に沿って移動すると、ワイヤ７の牽引又は牽引の緩和を行うことができる。
【００３４】
視度調節環１１は略有底円筒体であり、底面の中央部を転輪軸３２が挿通しているので中央転輪６と視度調節環１１とは軸線を共有している。また、視度調節環１１は、縁辺部４０の内側及び転輪軸３２に当接する視度環押さえ６１と回転筒体４７の他端部が当接する転輪スペーサ６２とを有している。視度環押さえ６１が転輪スペーサ６２に当接する回転筒体４７と転輪軸の縁辺部４０の内側と転輪軸３２とで押さえ付けられているので、視度調節環１１が中央転輪６の軸線を中心としてがたつきなく回動可能なように、視度環押さえ６１は視度調節環１１の位置を保持することができる。なお、転輪スペーサ６２は回転筒体４７の他端部に当接しているに過ぎないので、回転筒体４７が回転した場合に、転輪スペーサ６２によって視度調節環１１が回動することはない。係合環３８の一端部には係合部６３が設けられると共に、視度調節環１１の開口周縁部には被係合部６４が設けられている。係合部６３及び被係合部６４は係合可能であり、係合部６３及び被係合部６４が係合すると、中央転輪６の回転する力が視度調節環１１に直接伝達されることになる。係合部６３及び被係合部６４の実施態様としては、例えばキー及びキー溝の組み合わせ等を採用することができる。
【００３５】
転輪固定枠４１の外周面には視度メモリ環６５が装着されている。視度メモリ環６５は環状部材であり、操作者が視認可能な目盛りがその周側面に付されている（図示せず）。一度調節した視度に狂いが生じた際に、操作者が視度メモリ環６５の目盛りを予め記憶しておくことにより、再度視度調節を行う時間が短縮することができる。すなわち、視度メモリ環６５は、視度調節の操作性を向上させる部材である。なお、図３においては、視度メモリ環６５は係合環３８により操作者が視認し難い状態となっている。
【００３６】
図４は、図２に示す中央転輪６の一部をその軸線に沿って移動させた状態を示している。なお、図４に示す部材において、図２に示す部材と共通している部材は、同一の番号を付すこととし、詳細な説明を省略することがある。
【００３７】
図４においては、中央転輪６の一部をその軸線に沿って下方に移動させると、移動させた中央転輪６の一部と視度調節環１１とが係合する。中央転輪６の一部と視度調節環１１とが係合することにより、他方のワイヤ７ｂのみの牽引又は牽引の緩和が可能となり、図４における右側の視度レンズ１０のみが作動することとなるので、双眼鏡の視度調節を行うことができる。なお、図４における「Ｙ」は、視度調節の際に視度レンズ１０の移動する距離を示している。
【００３８】
図４で示した中央転輪６及び視度調節環１１について、図５及び６を用いて更に詳述する。図５及び６において、中央転輪６の右下に示す矢印は、操作者が中央転輪６の一部を移動させる方向を示している。なお、図５及び６に示す部材において、図３に示す部材と共通している部材は、同一の番号を付すこととし、詳細な説明を省略することがある。
【００３９】
図５には、図３における連動環３４、転輪蓋３５、転輪カバー３６及び係合環３８を下方に移動させた状態を示した。
【００４０】
連動環３４、転輪蓋３５、転輪カバー３６及び係合環３８を下方に移動させることにより、係合部６３と被係合部６４とが係合する。視度調節環１１は視度環押さえ６１が縁辺部４０及び回転筒体４７により挟持されているので、連動環３４、転輪蓋３５、転輪カバー３６及び係合環３８を移動させた場合でも、視度調節環１１は転輪軸３２、転輪締付環３３及び回転筒体４７と共にその軸線方向に移動することはない。
【００４１】
図５に示すように、連動環３４の頸部３６の内周面には、凸部６６が設けられている。凸部６６は、連動環３４、転輪蓋３５、転輪カバー３６及び係合環３８を移動させる際に使用感度を向上させる部材である。
【００４２】
図６は、図５における視度調節環１１の左側を他の部位で切断した断面を示す断面図である。図６に示されるように、視度調節環１１の内周面には矩形板状を成す係合片６７が設けられている。係合片６７は、視度調節環１１における半径方向に沿って設けられており、その端辺部が外側筒体５９の外周面の一部に設けられた係合溝（図示せず）に係合している。したがって、視度調節環１１を回動させると、外側筒体５９に回動する力が直接伝達されるようになっている。
【００４３】
なお、図４〜６では、視度メモリ環６５を操作者が視認し易い状態となっている。
【００４４】
以下に、図２〜６に示したこの発明の一実施態様である双眼鏡１の操作方法及びその作用を説明する。図２及び３を用いて焦点調節を行う方法及びその作用について説明し、図４〜６を用いて視度調節を行う方法及びその作用について説明することとする。
【００４５】
図２及び３においては、焦点調節を行うことのできる状態の双眼鏡１の一部を示している。
【００４６】
図３に示されるように、視度調節環１１は、係合部６３及び被係合部６４が係合していないので、中央転輪６から脱離している。また、回転筒体４７は、連結部５０及び被連結部５１が連結しているので、中央転輪６に係合している。
【００４７】
よって、操作者が中央転輪６の操作部３７を指等で摺動することにより、転輪カバー３６、転輪蓋３５及び連動環３４が中央転輪６の軸線を中心にして回転する。連動環３４が回転すると、連結部５０及び被連結部５１により回転筒体４７に回転する力が伝達される。視度調節環１１には、中央転輪６の回転する力は伝達されない。なお、回転筒体４７は、底面部４９が転輪締付環３３に当接し、かつ他端部が転輪スペーサ６２に当接しているので、その軸線方向に移動することはない。
【００４８】
回転筒体４７が回転すると、回転筒体４７に螺合する内側筒体５４及び内側筒体５４に螺合する外側筒体５９が中央転輪６の軸線に沿って移動する。内側筒体５４及び外側筒体５９の移動により、内側筒体５４における突出部５５にワイヤ固定用ビス５６で固定された一方のワイヤ７ａと、外側筒体５９に取り付けられたワイヤ固定部材６０に固定された他方のワイヤ７ｂとの牽引又は牽引の緩和を行うことができる。
【００４９】
図２に示されるように、ワイヤ７は、その他端部が中央転輪６から引き出され、ガイド部材１３を介して方向を変換され、ワイヤ固定部１２に固定されている。ワイヤ７の牽引又は牽引の緩和が生じると、回動盤１５は、回動中心部１６を中心として回動する。昇降ピン２１を固定している昇降ピンホルダ１９から回動中心部１６までの距離が、ワイヤ７を固定しているワイヤ固定部１２から回動中心部１６までの距離よりも大きい。よって、変換装置８は、ワイヤ７の牽引又は牽引の緩和される量、すなわち中央転輪６の操作量が小さい場合であっても、回動端部１７の回動する量が増幅されて大きくなるので、視度レンズ１０を容易に調節することができる。図２に示す実施態様では、視度レンズ１０はＸの範囲内で調節することができる。
【００５０】
図４〜６においては、視度調節を行うことのできる状態の双眼鏡１の一部を示している。
【００５１】
図５及び６に示されるように、視度調節環１１は、係合部６３及び被係合部６４が係合しているので、中央転輪６に係合している。また、回転筒体４７は、連結部５０及び被連結部５１が連結していないので、中央転輪６から脱離している。
【００５２】
なお、視度調節環１１を矢印の方向に移動させる操作は、連動環３４、転輪蓋３５、転輪カバー３６及び係合環３８をその軸線に沿って移動させれば良い。連動環３４、転輪蓋３５、転輪カバー３６及び係合環３８をその軸線に沿って移動させる際に、頸部４４の内周面に当接していたクリックボール４３が凸部６６に押圧されることによりクリックばね４２の付勢力に抗して一旦転輪締付環３３の凹陥部内に没入し、更に連動環３４が移動してクリックボール４３が凸部６６を乗り越えることによりクリックばね４２の付勢力で頸部４４の内周面に再度当接することとなる。操作者は、連動環３４、転輪蓋３５、転輪カバー３６及び係合環３８を移動させることにより、クリックボール４３が凸部６６を乗り越えたことを使用感度で知覚することができる。したがって、操作者は、係合部６３及び被係合部６４が係合したことを容易に認識することができる。
【００５３】
焦点調節と同様に、操作者が中央転輪６の操作部３７を指等で摺動することにより、転輪カバー３６、転輪蓋３５及び連動環３４が中央転輪６の軸線を中心にして回動する。連動環３４が回動すると、係合部６３及び被係合部６４により視度調節環１１に回動する力が伝達される。回転筒体４７には、中央転輪６が回動する力は伝達されない。
【００５４】
視度調節環１１が回動すると、図６に示されるように、係合片６７が係合する外側筒体５９に回動する力が伝達される。内側筒体５４及び回転筒体４７は回動しないので、外側筒体５９が回動すると、外側筒体５９が中央転輪６の軸線に沿って移動する。外側筒体５９の移動により、他方のワイヤ７ｂの牽引又は牽引の緩和を行うことができる。
【００５５】
図４に示されるように、他方のワイヤ７ｂの牽引又は牽引の緩和が生じると、他方のワイヤ７ｂに接続されている右側の回動盤１５が回動中心部１６を中心として回動することになる。図４に示す実施態様では、右側の視度レンズ１０はＹの範囲内で調節することになる。
【００５６】
なお、図５に示されるように中央転輪６の一部を移動させると、図３に示される状態に比べて視度メモリ環６５を操作者が視認し易くなる。視度調節を行った後に、視度メモリ環６５の目盛り（図示せず）を操作者が記憶しておくと、一旦調節した視度に狂いが生じた際に、記憶した目盛りに視度メモリ環６５を合わせることで容易に視度の再調節が可能であり、視度の再調節に要する時間を短縮することができる。
【００５７】
図７は、図１〜６に示した実施態様とは別の実施態様を示している。なお、図２に示す態様と図７に示す態様との相違点は、中央転輪６及び視度調節環１１と固定用部材３１との位置が逆である点である。この相違点以外は共通の部材を用いているので、共通の番号を付すこととし、部材の説明を省略することがある。図７に示す態様は、単倍機の双眼鏡であり、ズーム機能を備えていない。単倍機は、ズーム機能を備えていないので、図１に示されるズーム操作環４ｃ、連動部材（図示せず）及び変倍装置（図示せず）を設ける必要がない。よって、図７に示すように、中央転輪６及び視度調節環１１と固定用部材３１との位置を逆に配置することができる。図７に示す単倍機の双眼鏡であれば、連動部材及び変倍装置を配置する空間が必要ないので、双眼鏡の更なる小型化を図ることができる。
【００５８】
以上、この発明の一例について説明したが、この発明は前記実施の態様に限定されることはなく、様々の設計変更を行うことができる。
【００５９】
この発明における調節手段は、双眼鏡における一対の鏡筒内それぞれに存在する接眼光学系と対物光学系との間に設けられる調節レンズを、光軸に沿って前後進可能に支持することができる限り、様々の機械的構造を取り得る。調節手段は、一つの部材で形成されていても複数の部材の組合せにより形成されていても良い。この調節手段の材質及び寸法は、双眼鏡を用いるフィールド及び状況等に応じて適宜に決定することのできる設計事項である。なお、上述したワイヤは、金属製のワイヤであり、牽引及び経時等によって劣化し難い材料を用いている。もっとも、金属製のワイヤに限らず、スチールベルト、経時劣化し難いゴム等を用いることもできる。
【００６０】
この発明における中央転輪は、接眼光学系と対物光学系との間に配設される一対の調節手段の中間に位置する仮想的中間軸線を中心にして回転することができ、この回転によって、一方の調節手段に結合される内側筒体を作動させることができる限り、様々の構造を有することができる。この中央転輪は、一つの部材で形成されていても複数の部材の組合せにより形成されていても良い。この中央転輪の材質及び寸法は、双眼鏡を用いるフィールド及び状況等に応じて適宜に決定することのできる設計事項である。
【００６１】
この発明における内側筒体は、中央転輪の回転により作動することができること、外周面に雄ネジを有すること、及び調節レンズに結合される視度調節用の一方の調節手段を結合することという条件を満たす限り、様々な構造を採用することができる。この内側筒体は、通常、中央転輪が有する仮想的中間軸線を共有する軸線を有する筒状体を呈する。この内側筒体の材質及び寸法は、双眼鏡を用いるフィールド及び状況等に応じて適宜に決定することのできる設計事項である。
【００６２】
この発明における外側筒体は、前記内側筒体の外周面に形成された雄ネジと螺合する雌ネジを内周面に備えること、視度調節環を回動させると回動可能であること、中央転輪の回転により回転不能であること、及び調節レンズに結合される焦点調節用の他方の調節手段を結合することという条件を満たす限り、様々な構造を採用することができる。この外側筒体は、通常、中央転輪が有する仮想的中間軸線を共有する軸線を有する筒状体を呈する。この外側筒体の材質及び寸法は、双眼鏡を用いるフィールド及び状況等に応じて適宜に決定することのできる設計事項である。
【００６３】
視度調節環は、内側筒体に結合する調節手段に取り付けられた調節レンズを仮想的中間軸線に沿って前後進させる機能を発揮するために、前記外側筒体を回動させることができ、かつ中央転輪が回転しているときには外側筒体を回動又は回転不能にさせるように形成される。この視度調節環の材質及び寸法は、双眼鏡を用いるフィールド及び状況等に応じて適宜に決定することのできる設計事項である。
【００６４】
変換装置は、一対の調節手段が移動する距離及び方向を焦点及び視度調節に必要な調節レンズの移動距離及び方向に変換することができる限り様々の構造を採用することができる。
【図面の簡単な説明】
【００６５】
【図１】図１は、この発明の双眼鏡の一例を示す説明図である。
【図２】図２は、この発明の双眼鏡の一例における焦点調節を行う場合の一部断面説明図である。
【図３】図３は、この発明の双眼鏡の一例における焦点調節を行う場合の中央転輪及び視度調節環を示す断面説明図である。
【図４】図４は、この発明の双眼鏡の一例における視度調節を行う場合の一部断面説明図である。
【図５】図５は、この発明の双眼鏡の一例における視度調節を行う場合の中央転輪及び視度調節環を示す断面説明図である。
【図６】図６は、この発明の双眼鏡の一例における視度調節を行う場合の中央転輪及び視度調節環を示す他の断面説明図である。
【図７】図７は、この発明の双眼鏡の別の例における焦点調節を行う場合の一部断面説明図である。
【符号の説明】
【００６６】
１        双眼鏡
２        接眼光学系
３        対物光学系
４ａ      一方の鏡筒
４ｂ      他方の鏡筒
４ｃ      ズーム操作環
５        回動結合部
６        中央転輪
７        ワイヤ
７ａ      一方のワイヤ
７ｂ      他方のワイヤ
８        変換装置
９        光学系駆動手段
１０      視度レンズ
１１      視度調節環
１２      ワイヤ固定部
１３      ガイド部材
１４      ワイヤチューブ
１５      回動盤
１６      回動中心部
１７      回動端部
１８      弧状案内溝部
１９      昇降ピンホルダ
２０      ホルダ案内部材
２１      昇降ピン
２２      ピン案内部材
２３      貫通孔
２４      挿通管
２５      太径部
２６      環状部材
２７      封蓋部材
２８      コイルばね
２９      視度レンズ枠
３０      ピン固定部
３１      固定用部材
３２      転輪軸
３３      転輪締付環
３４      連動環
３５      転輪蓋
３６      転輪カバー
３７      操作部
３８      係合環
３９      軸固定用孔
４０      縁辺部
４１      転輪固定枠
４２      クリックばね
４３      クリックボール
４４      頸部
４５      肩部
４６      フランジ
４７      回転筒体
４８      筒状部
４９      底面部
５０      連結部
５１      被連結部
５２、５７    雄ネジ
５３、５８    雌ネジ
５４      内側筒体
５５      突出部
５６      ワイヤ固定用ビス
５９      外側筒体
６０      ワイヤ固定部材
６１      視度環押さえ
６２      転輪スペーサ
６３      係合部
６４      被係合部
６５      視度メモリ環
６６      凸部
６７      係合片
【図１】
0005072618.tif 000002
【図２】
0005072618.tif 000003
【図３】
0005072618.tif 000004
【図４】
0005072618.tif 000005
【図５】
0005072618.tif 000006
【図６】
0005072618.tif 000007
【図７】
0005072618.tif 000008